(57)【特許請求の範囲】
【請求項１】
ＩＴＵ−Ｔ勧告Ｈ．３２３に準拠した端末、ゲートキーパおよびＨＴＴＰサーバと、これらを接続するための通信ネットワーク網とから構成される通信システムにおいて、
前記端末が前記ＨＴＴＰサーバにコンテンツの送信を要求した際に、ＩＴＵ−Ｔ勧告Ｈ．３２３に準拠した端末間で端末能力を交換をしておらず、前記ゲートキーパが前記端末間で行われる端末能力交換時に送受される情報を保有していない場合には、前記ゲートキーパは前記端末において音声出力が可能であることを前記ＨＴＴＰサーバに通知することを特徴とする通信システム。
【請求項２】
ＩＴＵ−Ｔ勧告Ｈ．３２３に準拠した端末、ゲートキーパおよびＨＴＴＰサーバと、これらを接続するための通信ネットワーク網と、異なる種類のネットワークを接続するゲートウェイとから構成される通信システムにおいて、
前記端末が前記ＨＴＴＰサーバに対してコンテンツの送信を要求した際に、ＩＴＵ−Ｔ勧告Ｈ．３２３に準拠した端末間で端末能力の交換をしておらず、前記ゲートキーパが前記端末間で行われる端末能力交換時に送受される情報を保有していない場合には、前記ゲートキーパは前記端末において音声出力が可能であることを前記ゲートウェイに通知することを特徴とする通信システム。
【請求項３】
ＩＴＵ−Ｔ勧告Ｈ．３２３に準拠した端末、ゲートキーパおよびＨＴＴＰサーバと、これらを接続するための通信ネットワーク網とから構成される通信システムにおいて、
前記通信ネットワーク網に接続された複数の端末間で前記ゲートキーパをルーティングして、Ｈ．３２３接続手順により通信を行う場合に、前記ゲートキーパが前記端末間で行われる端末能力交換時に送受される情報を記録し、前記ＨＴＴＰサーバに通知し、
前記ＨＴＴＰサーバは、複数種類のコンテンツを保有し、前記端末からコンテンツの送信要求を受信した場合に、前記ゲートキーパからの通知内容に応じて前記端末に適したコンテンツを送信することを特徴とする通信システム。
【請求項４】
ＩＴＵ−Ｔ勧告Ｈ．３２３に準拠した端末、ゲートキーパおよびＨＴＴＰサーバと、これらを接続するための通信ネットワーク網とから構成される通信システムにおいて、
前記端末が前記ＨＴＴＰサーバにコンテンツの送信を要求した際に、ＩＴＵ−Ｔ勧告Ｈ．３２３に準拠した端末間で端末能力を交換をしておらず、前記ゲートキーパが前記端末間で行われる端末能力交換時に送受される情報を保有していない場合には、前記ゲートキーパは前記端末において音声出力が可能であることを前記ＨＴＴＰサーバに通知し、
前記ＨＴＴＰサーバは、複数種類のコンテンツを保有し、前記端末からコンテンツの送信要求を受信した場合に、前記ゲートキーパからの通知内容に応じて前記端末に適したコンテンツを送信することを特徴とする通信システム。
【請求項５】
ＩＴＵ−Ｔ勧告Ｈ．３２３に準拠した端末、ゲートキーパおよびＨＴＴＰサーバと、これらを接続するための通信ネットワーク網と、異なる種類のネットワークを接続するためのゲートウェイから構成される通信システムにおいて、
前記端末は、ＩＴＵ−Ｔ勧告Ｈ．３２３登録メッセージに当該端末に関する能力情報を記述して前記ゲートキーパに送信し、前記ゲートキーパは、前記端末から受信した記述内容を記録し、前記ＨＴＴＰサーバに通知し、
前記ＨＴＴＰサーバは、複数種類のコンテンツを保有し、前記端末からコンテンツの送信要求を受信した場合に、前記ゲートキーパからの通知内容に応じて前記端末に適したコンテンツを送信することを特徴とする通信システム。
【請求項６】
ＩＴＵ−Ｔ勧告Ｈ．３２３に準拠した端末、ゲートキーパおよびＨＴＴＰサーバと、これらを接続するための通信ネットワーク網とから構成される通信システムにおいて、
前記通信ネットワーク網に接続された複数の端末間で前記ゲートキーパをルーティングして、Ｈ．３２３接続手順により通信を行う場合に、前記ゲートキーパが前記端末間で行われる端末能力交換時に送受される情報を記録し、前記ＨＴＴＰサーバに通知し、
前記ＨＴＴＰサーバは、当該ＨＴＴＰサーバが保有するコンテンツを加工・変換する機能を備えており、前記端末からコンテンツの送信要求を受信した場合に、前記ゲートキーパからの通知内容に応じてコンテンツを加工・変換することを特徴とする通信システム。
【請求項７】
ＩＴＵ−Ｔ勧告Ｈ．３２３に準拠した端末、ゲートキーパおよびＨＴＴＰサーバと、これらを接続するための通信ネットワーク網とから構成される通信システムにおいて、
前記端末が前記ＨＴＴＰサーバにコンテンツの送信を要求した際に、ＩＴＵ−Ｔ勧告Ｈ．３２３に準拠した端末間で端末能力を交換をしておらず、前記ゲートキーパが前記端末間で行われる端末能力交換時に送受される情報を保有していない場合には、前記ゲートキーパは前記端末において音声出力が可能であることを前記ＨＴＴＰサーバに通知し、
前記ＨＴＴＰサーバは、当該ＨＴＴＰサーバが保有するコンテンツを加工・変換する機能を備えており、前記端末からコンテンツの送信要求を受信した場合に、前記ゲートキーパからの通知内容に応じてコンテンツを加工・変換することを特徴とする通信システム。
【請求項８】
ＩＴＵ−Ｔ勧告Ｈ．３２３に準拠した端末、ゲートキーパおよびＨＴＴＰサーバと、これらを接続するための通信ネットワーク網と、異なる種類のネットワークを接続するためのゲートウェイから構成される通信システムにおいて、
前記端末は、ＩＴＵ−Ｔ勧告Ｈ．３２３登録メッセージに当該端末に関する能力情報を記述して前記ゲートキーパに送信し、前記ゲートキーパは、前記端末から受信した記述内容を記録し、前記ＨＴＴＰサーバに通知し、
前記ＨＴＴＰサーバは、当該ＨＴＴＰサーバが保有するコンテンツを加工・変換する機能を備えており、前記端末からコンテンツの送信要求を受信した場合に、前記ゲートキーパからの通知内容に応じてコンテンツを加工・変換することを特徴とする通信システム。
【請求項９】
ＩＴＵ−Ｔ勧告Ｈ．３２３に準拠した端末、ゲートキーパおよびＨＴＴＰサーバと、これらを接続するための通信ネットワーク網と、異なる種類のネットワークを接続するためのゲートウェイとから構成される通信システムにおいて、
前記通信ネットワーク網に接続された複数の端末間で前記ゲートキーパをルーティングして、Ｈ．３２３接続手順により通信を行う場合に、前記ゲートキーパが前記端末間で行われる端末能力交換時に送受される情報を記録し、前記ゲートウェイに通知し、
前記端末と前記ＨＴＴＰサーバの通信経路上にある前記ゲートウェイは、前記ＨＴＴＰサーバが保有するコンテンツを加工・変換する機能を備えており、前記ＨＴＴＰサーバが前記端末の要求に応じてコンテンツを送信する場合に、前記ゲートキーパからの通知内容に応じてコンテンツを加工・変換して送信することを特徴とする通信システム。
【請求項１０】
ＩＴＵ−Ｔ勧告Ｈ．３２３に準拠した端末、ゲートキーパおよびＨＴＴＰサーバと、これらを接続するための通信ネットワーク網と、異なる種類のネットワークを接続するゲートウェイとから構成される通信システムにおいて、
前記端末が前記ＨＴＴＰサーバに対してコンテンツの送信を要求した際に、ＩＴＵ−Ｔ勧告Ｈ．３２３に準拠した端末間で端末能力の交換をしておらず、前記ゲートキーパが前記端末間で行われる端末能力交換時に送受される情報を保有していない場合には、前記ゲートキーパは前記端末において音声出力が可能であることを前記ゲートウェイに通知し、
前記端末と前記ＨＴＴＰサーバの通信経路上にある前記ゲートウェイは、前記ＨＴＴＰサーバが保有するコンテンツを加工・変換する機能を備えており、前記ＨＴＴＰサーバが前記端末の要求に応じてコンテンツを送信する場合に、前記ゲートキーパからの通知内容に応じてコンテンツを加工・変換して送信することを特徴とする通信システム。
【請求項１１】
ＩＴＵ−Ｔ勧告Ｈ．３２３に準拠した端末、ゲートキーパおよびＨＴＴＰサーバと、これらを接続するための通信ネットワーク網と、異なる種類のネットワークを接続するためのゲートウェイから構成される通信システムにおいて、
前記端末は、ＩＴＵ−Ｔ勧告Ｈ．３２３登録メッセージに当該端末に関する能力情報を記述してゲートキーパに送信し、前記ゲートキーパは前記記述内容を記録し、前記ゲートウェイに通知し、
前記端末と前記ＨＴＴＰサーバの通信経路上にある前記ゲートウェイは、前記ＨＴＴＰサーバが保有するコンテンツを加工・変換する機能を備えており、前記ＨＴＴＰサーバが前記端末の要求に応じてコンテンツを送信する場合に、前記ゲートキーパからの通知内容に応じてコンテンツを加工・変換して送信することを特徴とする通信システム。
【発明の詳細な説明】
【０００１】
【発明の属する技術分野】
本発明は、ＨＴＴＰサーバが保有するコンテンツを、ゲートウェイ装置、通信ネットワーク回線を使用してクライアント端末に送信する通信システムに関し、詳しくは、インターネットやイントラネットなどを介して、ＨＴＴＰサーバから画像、文字情報および音声情報をクライアント端末に提供するためのサービスに使用される通信システムに関する。
【０００２】
【従来の技術】
従来より、ＨＴＴＰサーバが保有するコンテンツを、ゲートウェイ装置、通信ネットワーク回線を使用してクライアント端末に送信する通信システムが知られている。図１８に、このような通信システムである従来のＷｅｂシステムの構成を示す。
従来のＷｅｂシステムは、図１８に示すように、ＨＴＴＰサーバ１０１、ＨＴＴＰクライアント端末１０２および１０３、インターネット回線１０４、公衆回線１０５、インターネット回線１０４と公衆回線１０５とを接続するためのゲートウェイ１０６を備えて構成されている。このＷｅｂシステムにおいて、ＨＴＴＰクライアント端末１０２および１０３は、公衆回線１０５、ゲートウェイ１０６およびインターネット回線１０４を介して、ＨＴＴＰサーバ１０１からコンテンツを得るようになっている。
【０００３】
ところで、従前のクライアント端末の多くはパーソナルコンピュータであったため、表示画面のサイズやＣＰＵの処理能力などに大きな差はなかった。しかしながら、近年においては、ＣＰＵの処理能力が向上したため、画面サイズを小さくすることにより携帯性を高めた端末が出現して、クライアント端末が多様化してきた。このため、端末によっては受信したデータが見にくかったり、データを出力できない場合もあり、使い勝手が悪いという不都合が生じている。
このような不都合を回避するために、コンテンツ取得時に、表示画面サイズや出力できるメディアの種類、ＣＰＵの処理能力などのクライアント端末に関する情報をＨＴＴＰサーバに対して通知し、通知内容にあわせてコンテンツを加工して送信するという手段が提案されている。
【０００４】
図１９に、コンテンツ取得時にクライアント端末情報を通知する場合のシーケンスを示す。
ＷＷＷサーバとＷＷＷブラウザとが情報を送受信するために使うプロトコルであるＨＴＴＰには、クライアント端末情報を通知するためのメッセージはない。このため、図１９に示すように、クライアント端末１０２は、ＨＴＴＰとは別に独自のプロトコルを持って端末の情報を通知する必要があった。すなわち、クライアント端末１０２とＨＴＴＰサーバ１０１の間では、ＨＴＴＰメッセージとして、クライアント端末１０２からＨＴＴＰサーバ１０１に向かって「ＨＴＴＰリクエスト」が送信され、ＨＴＴＰサーバ１０１からクライアント端末１０２に向かって「コンテンツ」が送信される。さらに、クライアント端末情報を通知するための独自メッセージとして、ＨＴＴＰサーバ１０１からクライアント端末１０２に向かって「端末情報問い合わせ」が送信され、クライアント端末１０２からＨＴＴＰサーバ１０１に向かって「端末情報通知」が送信される。
【０００５】
端末の情報を通知する、という点に着目してみると、マルチメディア通信のシステムの中には、端末が情報を通知することが必須となっているものもある。図２０に示すＨ．３２３システムは、そのようなマルチメディア通信システムの一つである。
Ｈ．３２３システムは、図２０に示すように、ゲートキーパ２０１、Ｈ．３２３エンドポイント端末２０２および２０３、インターネット回線２０４、公衆回線２０５、インターネット回線２０４と公衆回線２０５を接続するためのゲートウェイ２０６を備えて構成されている。
【０００６】
このＨ．３２３システムにおいて、エンドポイント端末２０２が、他のエンドポイント端末２０３との間で、音声および画像による通信を行う場合のシーケンスを図２１に示す。
エンドポイント端末２０２が、他のエンドポイント端末２０３との間で、音声および画像による通信を行う場合には、図２１に示すように、まず、エンドポイント端末２０２は、ゲートキーパ２０１に対して登録を行う。この登録を行うことで、エンドポイント端末２０２のＩＰアドレスを知らない端末との間においても、ゲートキーパ２０１を経由して通信を行うことができるようになる。登録に続き、Ｈ．３２３の呼接続を行う。なお、ここでは、呼接続シーケンスの詳細については省略する。
【０００７】
呼接続が確立されると、続いて、ＩＴＵ−Ｔ勧告Ｈ．２４５ｖｅｒｓｉｏｎ５：Ｌｉｎｅ  ｔｒａｎｓｍｉｓｓｉｏｎ  ｏｆ  ｎｏｎ−ｔｅｌｅｐｈｏｎｅ  ｓｉｇｎａｌｓ（１９９８）（以下、ＩＴＵ−Ｔ勧告Ｈ．２４５またはＨ．２４５と記す）の接続を行う。このときに送信されるメッセージの中に、能力交換（Ｔｅｒｍｉｌａ１  Ｃａｐａｂｉｌｉｔｙ  Ｓｅｔ）メッセージがある。能力交換メッセージは、各々のエンドポイント端末２０２、２０３が出力できるメディアの種類を記述している。このメッセージは、ゲートキーパ２０１を介してエンドポイント端末２０２からエンドポイント端末２０３へ通知される。また、図２１中では省略しているが、メッセージは、エンドポイント端末２０３からエンドポイント端末２０２へも通知される。
【０００８】
【発明が解決しようとする課題】
しかしながら、上述した従来のＷｅｂシステムにおいて、コンテンツ取得時にクライアント端末情報を通知するという方法を採用した場合には、端末の特性に関する情報を得るために、端末に専用の手段を設ける必要があった。
端末の携帯性を確保するためには、端末の負荷はできるだけ少ないことが望ましいが、端末情報を通知するための専用の手段を設けたのでは、携帯性を確保することが難しくなる。
また、端末情報を通知するための専用シーケンスを使用しなければならず、無線環境などエラー発生率が高い環境では、端末情報の通知そのものにエラーが発生する可能性が高かった。
【０００９】
本発明は、上述した事情に鑑み提案されたもので、多様化したクライアント端末の画面サイズ等に応じて最適なコンテンツを受信することができるとともに、端末情報を通知するための専用の手段を必要とせずにリソースを削減することができ、さらに、無線通信回線など帯域の少ない回線環境下で安定して使用することができる通信システムを提供することを目的とする。
【００１０】
【課題を解決するための手段】
本発明に係る通信システムは、上述した目的を達成するため、以下の特徴点を備えている。
【００１１】
本発明に係る通信システムは、ＩＴＵ−Ｔ勧告Ｈ．３２３に準拠した端末、ゲートキーパおよびＨＴＴＰサーバと、これらを接続するための通信ネットワーク網とから構成される通信システムにおいて、前記端末が前記ＨＴＴＰサーバにコンテンツの送信を要求した際に、ＩＴＵ−Ｔ勧告Ｈ．３２３に準拠した端末間で端末能力を交換をしておらず、前記ゲートキーパが前記端末間で行われる端末能力交換時に送受される情報を保有していない場合には、前記ゲートキーパは前記端末において音声出力が可能であることを前記ＨＴＴＰサーバに通知することを特徴とするものである。
【００１２】
また、本発明に係る通信システムは、ＩＴＵ−Ｔ勧告Ｈ．３２３に準拠した端末、ゲートキーパおよびＨＴＴＰサーバと、これらを接続するための通信ネットワーク網と、異なる種類のネットワークを接続するゲートウェイとから構成される通信システムにおいて、前記端末が前記ＨＴＴＰサーバに対してコンテンツの送信を要求した際に、ＩＴＵ−Ｔ勧告Ｈ．３２３に準拠した端末間で端末能力の交換をしておらず、前記ゲートキーパが前記端末間で行われる端末能力交換時に送受される情報を保有していない場合には、前記ゲートキーパは前記端末において音声出力が可能であることを前記ゲートウェイに通知することを特徴とするものである。
【００１３】
また、本発明に係る通信システムは、ＩＴＵ−Ｔ勧告Ｈ．３２３に準拠した端末、ゲートキーパおよびＨＴＴＰサーバと、これらを接続するための通信ネットワーク網とから構成される通信システムにおいて、前記通信ネットワーク網に接続された複数の端末間で前記ゲートキーパをルーティングして、Ｈ．３２３接続手順により通信を行う場合に、前記ゲートキーパが前記端末間で行われる端末能力交換時に送受される情報を記録し、前記ＨＴＴＰサーバに通知し、前記ＨＴＴＰサーバは、複数種類のコンテンツを保有し、前記端末からコンテンツの送信要求を受信した場合に、前記ゲートキーパからの通知内容に応じて前記端末に適したコンテンツを送信することを特徴とするものである。
【００１４】
また、本発明に係る通信システムは、ＩＴＵ−Ｔ勧告Ｈ．３２３に準拠した端末、ゲートキーパおよびＨＴＴＰサーバと、これらを接続するための通信ネットワーク網とから構成される通信システムにおいて、前記端末が前記ＨＴＴＰサーバにコンテンツの送信を要求した際に、ＩＴＵ−Ｔ勧告Ｈ．３２３に準拠した端末間で端末能力を交換をしておらず、前記ゲートキーパが前記端末間で行われる端末能力交換時に送受される情報を保有していない場合には、前記ゲートキーパは前記端末において音声出力が可能であることを前記ＨＴＴＰサーバに通知し、前記ＨＴＴＰサーバは、複数種類のコンテンツを保有し、前記端末からコンテンツの送信要求を受信した場合に、前記ゲートキーパからの通知内容に応じて前記端末に適したコンテンツを送信することを特徴とするものである。
【００１５】
また、本発明に係る通信システムは、ＩＴＵ−Ｔ勧告Ｈ．３２３に準拠した端末、ゲートキーパおよびＨＴＴＰサーバと、これらを接続するための通信ネットワーク網と、異なる種類のネットワークを接続するためのゲートウェイから構成される通信システムにおいて、前記端末は、ＩＴＵ−Ｔ勧告Ｈ．３２３登録メッセージに当該端末に関する能力情報を記述して前記ゲートキーパに送信し、前記ゲートキーパは、前記端末から受信した記述内容を記録し、前記ＨＴＴＰサーバに通知し、前記ＨＴＴＰサーバは、複数種類のコンテンツを保有し、前記端末からコンテンツの送信要求を受信した場合に、前記ゲートキーパからの通知内容に応じて前記端末に適したコンテンツを送信することを特徴とするものである。
【００１６】
また、本発明に係る通信システムは、ＩＴＵ−Ｔ勧告Ｈ．３２３に準拠した端末、ゲートキーパおよびＨＴＴＰサーバと、これらを接続するための通信ネットワーク網とから構成される通信システムにおいて、前記通信ネットワーク網に接続された複数の端末間で前記ゲートキーパをルーティングして、Ｈ．３２３接続手順により通信を行う場合に、前記ゲートキーパが前記端末間で行われる端末能力交換時に送受される情報を記録し、前記ＨＴＴＰサーバに通知し、前記ＨＴＴＰサーバは、当該ＨＴＴＰサーバが保有するコンテンツを加工・変換する機能を備えており、前記端末からコンテンツの送信要求を受信した場合に、前記ゲートキーパからの通知内容に応じてコンテンツを加工・変換することを特徴とするものである。
【００１７】
また、本発明に係る通信システムは、ＩＴＵ−Ｔ勧告Ｈ．３２３に準拠した端末、ゲートキーパおよびＨＴＴＰサーバと、これらを接続するための通信ネットワーク網とから構成される通信システムにおいて、前記端末が前記ＨＴＴＰサーバにコンテンツの送信を要求した際に、ＩＴＵ−Ｔ勧告Ｈ．３２３に準拠した端末間で端末能力を交換をしておらず、前記ゲートキーパが前記端末間で行われる端末能力交換時に送受される情報を保有していない場合には、前記ゲートキーパは前記端末において音声出力が可能であることを前記ＨＴＴＰサーバに通知し、前記ＨＴＴＰサーバは、当該ＨＴＴＰサーバが保有するコンテンツを加工・変換する機能を備えており、前記端末からコンテンツの送信要求を受信した場合に、前記ゲートキーパからの通知内容に応じてコンテンツを加工・変換することを特徴とするものである。
【００１８】
また、本発明に係る通信システムは、ＩＴＵ−Ｔ勧告Ｈ．３２３に準拠した端末、ゲートキーパおよびＨＴＴＰサーバと、これらを接続するための通信ネットワーク網と、異なる種類のネットワークを接続するためのゲートウェイから構成される通信システムにおいて、前記端末は、ＩＴＵ−Ｔ勧告Ｈ．３２３登録メッセージに当該端末に関する能力情報を記述して前記ゲートキーパに送信し、前記ゲートキーパは、前記端末から受信した記述内容を記録し、前記ＨＴＴＰサーバに通知し、前記ＨＴＴＰサーバは、当該ＨＴＴＰサーバが保有するコンテンツを加工・変換する機能を備えており、前記端末からコンテンツの送信要求を受信した場合に、前記ゲートキーパからの通知内容に応じてコンテンツを加工・変換することを特徴とするものである。
【００１９】
また、本発明に係る通信システムは、ＩＴＵ−Ｔ勧告Ｈ．３２３に準拠した端末、ゲートキーパおよびＨＴＴＰサーバと、これらを接続するための通信ネットワーク網と、異なる種類のネットワークを接続するためのゲートウェイとから構成される通信システムにおいて、前記通信ネットワーク網に接続された複数の端末間で前記ゲートキーパをルーティングして、Ｈ．３２３接続手順により通信を行う場合に、前記ゲートキーパが前記端末間で行われる端末能力交換時に送受される情報を記録し、前記ゲートウェイに通知し、前記端末と前記ＨＴＴＰサーバの通信経路上にある前記ゲートウェイは、前記ＨＴＴＰサーバが保有するコンテンツを加工・変換する機能を備えており、前記ＨＴＴＰサーバが前記端末の要求に応じてコンテンツを送信する場合に、前記ゲートキーパからの通知内容に応じてコンテンツを加工・変換して送信することを特徴とするものである。
【００２０】
また、本発明に係る通信システムは、ＩＴＵ−Ｔ勧告Ｈ．３２３に準拠した端末、ゲートキーパおよびＨＴＴＰサーバと、これらを接続するための通信ネットワーク網と、異なる種類のネットワークを接続するゲートウェイとから構成される通信システムにおいて、前記端末が前記ＨＴＴＰサーバに対してコンテンツの送信を要求した際に、ＩＴＵ−Ｔ勧告Ｈ．３２３に準拠した端末間で端末能力の交換をしておらず、前記ゲートキーパが前記端末間で行われる端末能力交換時に送受される情報を保有していない場合には、前記ゲートキーパは前記端末において音声出力が可能であることを前記ゲートウェイに通知し、前記端末と前記ＨＴＴＰサーバの通信経路上にある前記ゲートウェイは、前記ＨＴＴＰサーバが保有するコンテンツを加工・変換する機能を備えており、前記ＨＴＴＰサーバが前記端末の要求に応じてコンテンツを送信する場合に、前記ゲートキーパからの通知内容に応じてコンテンツを加工・変換して送信することを特徴とするものである。
【００２１】
また、本発明に係る通信システムは、ＩＴＵ−Ｔ勧告Ｈ．３２３に準拠した端末、ゲートキーパおよびＨＴＴＰサーバと、これらを接続するための通信ネットワーク網と、異なる種類のネットワークを接続するためのゲートウェイから構成される通信システムにおいて、前記端末は、ＩＴＵ−Ｔ勧告Ｈ．３２３登録メッセージに当該端末に関する能力情報を記述してゲートキーパに送信し、前記ゲートキーパは前記記述内容を記録し、前記ゲートウェイに通知し、前記端末と前記ＨＴＴＰサーバの通信経路上にある前記ゲートウェイは、前記ＨＴＴＰサーバが保有するコンテンツを加工・変換する機能を備えており、前記ＨＴＴＰサーバが前記端末の要求に応じてコンテンツを送信する場合に、前記ゲートキーパからの通知内容に応じてコンテンツを加工・変換して送信することを特徴とするものである。
【００３４】
なお、ＩＴＵ−Ｔ勧告Ｈ．３２３とは、ＩＴＵ−Ｔ勧告Ｈ．３２３  ｖｅｒｓｉｏｎ３：Ｐａｃｋｅｔ  ｂａｓｅｄ  ｍｕｌｔｉｍｅｄｉａ  ｃｏｍｍｕｎｉｃａｔｉｏｎｓ  ｓｙｓｔｅｍｓ（１９９９）のことである。
また、ＩＴＵ−Ｔ勧告Ｈ．３２４とは、ＩＴＵ−Ｔ勧告Ｈ．３２４  ｖｅｒｓｉｏｎ２：Ｔｅｒｍｉｎａｌ  ｆｏｒ  ｌｏｗ  ｂｉｔｒａｔｅ  ｍｕｌｔｉｍｅｄｉａ  ｃｏｍｍｕｎｉｃａｔｉｏｎ（１９９８）のことである。
また、ＨＴＴＰとは、ＨｙｐｅｒＴｅｘｔ  Ｔｒａｎｓｆｅｒ  Ｐｒｏｔｏｃｏｌのことである。
また、ＭＣＵとは、Ｍｕｌｔｉｐｏｉｎｔ  Ｃｏｎｔｒｏｌ  Ｕｎｉｔのことである。
【００３５】
上述したように、本発明に係る通信システムでは、ＩＴＵ−Ｔ勧告Ｈ．３２３に準拠した端末は、他のＨ．３２３準拠端末と接続する際に、自端末の能力（使用可能なメディアなど）をＨ．３２３に準拠しだゲートキーパを経由して互いに通知しあう。また、ＨＴＴＰのクライアント端末がＨ．３２３準拠端末としての能力を有する場合には、これらの通知内容をゲートキーパが記憶し、クライアント端末がＨＴＴＰサーバにデータの送信を要求すると、送信するデータの加工・変換手段を有するＨＴＴＰサーバあるいはゲートウェイに前記通知内容を通知する。
さらに、拡張機能として、クライアント端末は、ゲートキーパとの間の登録シーケンスで使用するメッセージに画面サイズ、表示色数など、コンテンツの変換・加工のために必要なさまざまな情報を付加することができる。
【００３６】
このような構成からなる通信システムでは、クライアント端末は、使用可能メディア、表示画面サイズなどに応じてクライアント端末に適したコンテンツを受信して使用することができる。しかも、クライアント端末において、端末情報の通知のために専用の手段を設けなくてもよいため、クライアント端末のリソースを削減することができる。
さらに、端末情報を通知するための専用のシーケンスが不要となるため、通知シーケンスにおけるエラー発生を回避することができ、特に無線通信回線など帯域の少ない回線環境下で有効となる。
【００３７】
【発明の実施の形態】
以下、図面に基づいて、本発明に係る通信システムの実施形態を説明する。
【００３８】
図１に、本発明の第１の実施形態に係る通信システムの概略構成を示す。
第１の実施形態に係る通信システムは、図１に示すように、ＨＴＴＰサーバ５０１、クライアント端末５０２および５０３、インターネット回線５０４、公衆回線５０５、インターネット回線５０４と公衆回線５０５とを接続するためのゲートウェイ５０６、Ｈ．３２３ゲートキーパ５０７とを備えて構成されている。
なお、クライアント端末５０２および５０３は、ＨＴＴＰクライアントとしての機能と、Ｈ．３２３端末としての機能を兼ね備えている。
【００３９】
図２に、図１に示す通信システムにおけるＨ．３２３オーディオビジュアル通信およびＨＴＴＰサーバ５０１からのコンテンツ受信のシーケンス（第１の手段）を示す。また、図３に、クライアント端末５０１、５０２が有するプロトコルスタックを示す。
ゲートキーパ５０７は、図２に示すように、クライアント端末５０２の能力交換メッセージを受信してクライアント端末５０３に転送する際に、能力交換メッセージを解析し、クライアント端末５０２において使用可能なメディアについての情報を記録する。
【００４０】
また、クライアント端末５０２がクライアント端末５０３と通信した後に、ＨＴＴＰサーバ５０１に対してコンテンツを要求すると、ＨＴＴＰサーバ５０１はゲートキーパ５０７に対してクライアント端末５０２において使用可能なメディアを問い合わせる。そして、ＨＴＴＰサーバ５０１は、ゲートキーパ５０７よりクライアント端末５０２において使用可能なメディア情報を得ると、当該メディア情報に基づいて、クライアント端末５０２から要求されたコンテンツをクライアント端末５０２において出力可能なメディアのみに変換して送信する。この際、クライアント端末５０２は、通常のＨＴＴＰシーケンスを行うだけである。
【００４１】
図４に、ゲートキーパ５０７の概略構成を示す。また、図５に、ゲートキーパ５０７における動作のフローチャートを示す。
ゲートキーパ５０７は、図４に示すように、Ｈ．３２３制御部８０１、クライアント端末情報記録部８０２、端末情報通知処理部８０３を備えて構成されている。また、ゲートキーパ５０７は、回線部およびゲートウェイ５０４〜５０６を介して、クライアント端末５０２、５０３およびＨＴＴＰサーバ５０１と連絡している。
【００４２】
このゲートキーパ５０７は、図５に示すように、クライアント端末５０２、５０３間のメッセージを受信すると（Ｓ１２０１）、受信したメッセージがＴｅｒｍｉｎａｌ  Ｃａｐａｂｉｌｉｔｙ  Ｓｅｔメッセージであるか否かを判断する（Ｓ１２０２）。ここで、受信したメッセージがＴｅｒｍｉｎａｌ  Ｃａｐａｂｉｌｉｔｙ  Ｓｅｔメッセージである場合には、Ｈ．３２３制御部８０１によりＴｅｒｍｉｎａｌ  Ｃａｐａｂｉｌｉｔｙ  Ｓｅｔメッセージを解析し（Ｓ１２０３）、クライアント端末情報記録部８０２にクライアント端末５０２が使用可能なメディアを記録（Ｓ１２０４）する。
【００４３】
そして、クライアント端末５０２がＨＴＴＰサーバ５０１にコンテンツを要求（ＨＴＴＰリクエスト）すると、端末情報通知処理部８０３によりＨＴＴＰサーバ５０１からの端末情報問い合わせを受信し、クライアント端末情報記録部８０２より端末５０２の情報を読み出し、端末情報通知処理部８０３がＨＴＴＰサーバ５０１にクライアント端末５０２が使用可能なメディアを通知する（Ｓ１２０５）。
なお、受信したメッセージがＴｅｒｍｉｎａｌ  Ｃａｐａｂｉｌｉｔｙ  Ｓｅｔメッセージでない場合には、メッセージの解析処理（Ｓ１２０３）および端末能力の記録処理（Ｓ１２０５）をスキップする。
【００４４】
図６に、ＨＴＴＰサーバ５０１の概略構成を示す。また、図７に、ＨＴＴＰサーバ５０１における動作のフローチャートを示す。
ＨＴＴＰサーバ５０１は、図６に示すように、ＨＴＴＰ処理部９０１、コンテンツ記録部９０２、端末情報通知処理部９０３、コンテンツ加工変換部９０４を備えて構成されている。また、ＨＴＴＰサーバ５０１は、回線部およびゲートウェイ５０４〜５０６を介して、クライアント端末５０２、５０３およびゲートキーパ５０７と連絡している。
【００４５】
このＨＴＴＰサーバ５０１は、図７に示すように、クライアント端末５０２からＨＴＴＰリクエストを受けると（Ｓ１５０１）、リクエストを受けたコンテンツをコンテンツ記録部９０２から読み出し、コンテンツ加工変換部９０４に移動する。コンテンツ加工変換部９０４は、端末情報通知処理部９０３に対して端末情報を問い合わせる。端末情報通知処理部９０３は、ゲートキーパ５０７に対して端末情報問い合わせを送信し（Ｓ１５０２）、ゲートキーパ５０７は、問い合わせに応じて端末情報を通知する。
そして、ＨＴＴＰサーバ５０１は、ゲートキーパ５０７よりクライアント端末５０２において使用可能なメディアの通知を端末情報通知処理部９０３によって受信すると（Ｓ１５０３）、コンテンツ加工変換部９０４に通知する。
【００４６】
続いて、コンテンツの加工が必要か否かを判断する（Ｓ１５０４）。ここで、コンテンツの加工が必要な場合には、コンテンツ加工変換部９０４は、通知に応じてリクエストを受けたコンテンツをクライアント端末５０２で出力可能な形式に変換した後（Ｓ１５０５）、当該コンテンツをＨＴＴＰ処理部９０１からクライアント端末５０２に対して送信する（Ｓ１５０６）。
なお、コンテンツ加工変換部９０４で行う加工、変換の手段は、既知の手段を使用する。
また、図６に示す端末情報通知処理部９０３およびコンテンツ加工変換部９０４を、ゲートウェイ５０６に設置することによっても同様の効果を得ることができる。
【００４７】
図８に、端末情報通知処理部１００３およびコンテンツ加工変換部１００２を設置したゲートウェイ５０６の概略構成を示す。また、図９に、ゲートウェイ５０６における動作のフローチャートを示す。
ゲートウェイ５０６は、図８に示すように、ネットワーク接続処理部１００１、コンテンツ加工変換部１００２、端末情報通知処理部１００３を備えて構成されている。また、ゲートウェイ５０６は、回線部５０４、５０５を介して、ＨＴＴＰサーバ５０１、クライアント端末５０２、５０３およびゲートキーパ５０７と連絡している。
【００４８】
このゲートウェイ５０６は、図９に示すように、ＨＴＴＰサーバ５０１よりコンテンツを受信すると（Ｓ１６０１）、受信したコンテンツをコンテンツ加工変換部１００２に移動する。コンテンツ加工変換部９０４は、端末情報通知処理部９０３に端末情報を問い合わせる。端末情報通知処理部９０３は、ゲートキーパ５０７に端末情報問い合わせを送信し（Ｓ１６０２）、ゲートキーパ５０７は問い合わせに応じて端末情報を通知する。
【００４９】
続いて、ゲートウェイ５０６が、ゲートキーパ５０７よりクライアント端末５０２において使用可能なメディアの通知を端末情報通知処理部１００３によって受信すると（Ｓ１６０３）、コンテンツ加工変換部１００２に通知する。
【００５０】
続いて、コンテンツの加工が必要か否かを判断する（Ｓ１６０４）。ここで、コンテンツの加工が必要な場合には、コンテンツ加工変換部１００２は、通知に応じてリクエストを受けたコンテンツをクライアント端末５０２で出力可能な形式に変換した後（Ｓ１６０５）、ネットワーク接続処理部１００１からクライアント端末５０２に送信する（Ｓ１６０６）。
なお、コンテンツ加工変換部１００２で行う加工、変換の手段は、既知の手段を使用する。
さらに、ＨＴＴＰサーバ５０１にコンテンツ加工変換部９０４を設置する代わりに、様々なメディアに応じた複数のコンテンツをコンテンツ記録部９０２に保管し、ゲートキーパ５０７の通知に応じて、端末情報通知処理部９０３により適当なコンテンツを選択して送信することもできる。
【００５１】
ところで、上述したＨ．３２３オーディオビジュアル通信およびＨＴＴＰサーバ５０１からのコンテンツ受信のシーケンス（第１の手段）においては、ＨＴＴＰによるコンテンツ受信に先だって、Ｈ．３２３による通信を行う必要がある。そこで、ゲートキーパ５０７が通知する内容を、Ｈ．３２３端末が回線に接続する際に必ず行うＨ．３２３端末登録シーケンスにより、ゲートキーパ５０７で取得できる情報のみとしたものが次に説明する第２の手段である。
【００５２】
図１０に、第２の手段のシーケンスを示す。また、図１１に、第２の手段における動作のフローチャートを示す。
第２の手段において、Ｈ．３２３準拠端末Ａは、図１０、図１１に示すように、通信ネットワーク網に接続した際に、ネットワーク上のいずれかのゲートキーパに対して、自己のＩＰアドレスを、ＩＴＵ−Ｔ勧告Ｈ．２２５．０  ｖｅｒｓｉｏｎ３．０１：Ｃａｌｌｓｉｇｎａｌｌｉｎｇ  ｐｒｏｔｏｃｏｌｓ  ａｎｄｍｅｄｉａ  ｓｔｒｅａｍ  ｐａｃｋｅｔｉｚａｔｉｏｎ  ｆｏｒ  ｐａｃｋｅｔ−ｂａｓｅｄ  ｍｕｌｔｉｍｅｄｉａ  ｃｏｍｍｕｎｉｃａｔｉｏｎ  ｓｙｓｔｅｍｓ（１９９８）に規定されるＲＡＳのＲＲＱ（Ｒｅｇｉｓｔｒａｔｉｏｎ  Ｒｅｑｕｅｓｔ）メッセージを使用して登録する（Ｓ１３０２）。
【００５３】
ＲＲＱメッセージには、端末の特性を示す情報は直接含まれていないが、Ｈ．３２３準拠端末Ａにおいては音声の出力は必須である。ゲートキーパは、Ｈ．３２３準拠端末Ａからの登録メッセージを受信すると（Ｓ１３０１）、当該端末ＡのＩＰを登録する（Ｓ１３０２）。ここで、ゲートキーパは、当該端末Ａの登録により、当該端末Ａは少なくとも音声が使用可能であることを知る。ゲートキーパは、このようにして知り得た情報を記録し、上述した第１の手段と同様にして、ＨＴＴＰサーバあるいはゲートウェイからの問い合わせに応じて端末情報を通知する。端末情報の通知を受けたＨＴＴＰサーバあるいはゲートウェイは、通知内容に応じてコンテンツを加工・変換あるいは選択し、クライアント端末に送信する（Ｓ１３０３）。
【００５４】
さらに、第２の手段の拡張として、ＲＲＱメッセージに対して、クライアント端末の表示画面サイズ、画面の解像度、表示色数、ＣＰＵ能力、暗号化レベル、圧縮レベルなどの情報を載せる方法を説明する。また、図１２に、第２の手段の拡張機能における動作のフローチャートを示し、図１３に、ＲＲＱメッセージにおけるＮｏｎ  Ｓｔａｎｄａｒｄ  Ｐａｒａｍｅｔｅｒフィールドの説明図を示す。
【００５５】
ＲＲＱメッセージには、オプションのＮｏｎ  Ｓｔａｎｄａｒｄ  Ｐａｒａｍｅｔｅｒフィールドが用意されている。このＮｏｎ  Ｓｔａｎｄａｒｄ  Ｐａｒａｍｅｔｅｒフィールドには、図１３に示すように、解像度情報、サイズ情報、表示色情報、ＣＰＵ能力情報、暗号化レベル情報、圧縮レベル情報の各情報フィールド１１０２に対して、それぞれ情報の長さフィールド１１０１が記述されている。
【００５６】
クライアント端末５０２は、Ｎｏｎ  Ｓｔａｎｄａｒｄ  Ｐａｒａｍｅｔｅｒフィールドに各種情報を記述したＲＲＱメッセージをゲートキーパ５０７に対して送信する。
ゲートキーパ５０７は、図１２に示すように、クライアント端末５０２からの登録メッセージを受信すると（Ｓ１４０１）、Ｈ．３２３制御部８０１により受信したＲＲＱメッセージに含まれる端末情報を解析し（Ｓ１４０２）、クライアント端末情報記録部８０２に記録する（Ｓ１４０３）。そして、問い合わせに応じて、記録内容を端末情報通知処理部８０３よりＨＴＴＰサーバ５０１あるいはゲートウェイ５０６に通知する（Ｓ１４０４）。
【００５７】
上述したように、第１の実施形態に係る通信システムは、第１の手段と第２の手段を含んでいる。このうち、第１の手段と同様に、Ｈ．２４５の接続シーケンスを利用するシステムに、ＩＴＵ−Ｔ勧告Ｈ．３２４に規定されるシステムがある。したがって、Ｈ．３２４のシステム上で第１の手段を実現することも可能である。
【００５８】
以下に、Ｈ．３２４のシステム上で第１の手段を実現するための第２の実施形態に係る通信システムを説明する。
図１４に、本発明の第２の実施形態に係る通信システムの概略構成を示す。
第２の実施形態に係る通信システムは、図１４に示すように、第１の実施形態に係る通信システムと比較して、ゲートキーパ５０７がＭＣＵ１７０７に置き換えられた点が相違する。また、第１の実施形態では、クライアント端末５０２、５０３がＨ．３２３準拠端末の機能を有していたのに対し、第２の実施形態におけるクライアント端末１７０２、１７０３がＨ．３２４端末の機能を有する点が相違している。これらの相違点を除いては、第２の実施形態に係る通信システムは、第１の実施形態に係る通信システムと同様である。
【００５９】
すなわち、第２の実施形態に係る通信システムは、図１４に示すように、ＨＴＴＰサーバ１７０１、クライアント端末１７０２および１７０３、インターネット回線１７０４、公衆回線１７０５、インターネット回線１７０４と公衆回線１７０５とを接続するためのゲートウェイ１７０６、ＭＣＵ１７０７とを備えて構成されている。
【００６０】
図１５に、クライアント端末１７０２のプロトコルスタックを示す。
クライアント端末１７０２のプロトコルスタックは、上述した第１の実施形態に係る通信システムがＨ．３２３準拠端末であったのに対して、第２の実施形態では、Ｈ．３２４準拠端末である点が異なっている。
【００６１】
図１６に、第２の実施形態に係る通信システムによる端末情報通知のシーケンスを示す。
Ｈ．３２４システムにおいては、図１６に示すように、Ｈ．３２３システムに存在していたエンドポイント端末のゲートキーパヘの登録や、Ｈ．３２３呼接続シーケンスに相当するものはなく、Ｈ．２４５の接続シーケンスから始まる。また、図１に示す第１の実施形態に係る通信システムのゲートキーパ５０７と同様に、ＭＣＵ１７０７は、Ｔｅｒｍｉｎａｌ  Ｃａｐａｂｉｌｉｔｙ  Ｓｅｔメッセージを解析して使用可能なメディアを記録し、ＨＴＴＰサーバ１７０１からの端末情報問い合わせに応じて記録した情報を通知する。
【００６２】
図１７に、ＭＣＵ１７０７の概略構成を示す。
ＭＣＵ１７０７は、図１７に示すように、Ｈ．３２４制御部１９０１、クライアント端末情報記録部１９０２、端末情報通知処理部１９０３を備えて構成されている。また、ＭＣＵ１７０７は、回線部およびゲートウェイ１７０４〜１７０６を介して、クライアント端末１７０２、１７０３およびＨＴＴＰサーバ１７０１と連絡している。
【００６３】
このＭＣＵ１７０７では、Ｈ．３２４制御部１９０１によりＴｅｒｍｉｎａｌＣａｐａｂｉｌｉｔｙ  Ｓｅｔメッセージを解析し、クライアント端末情報記録部１９０２にクライアント端末１７０２が使用可能なメディアを記録し、ＨＴＴＰサーバ１７０１からの問い合わせに応じて端末情報通知処理部１９０３によりＨＴＴＰサーバ１７０１にクライアント端末１７０２が使用可能なメディアを通知する。
【００６４】
【発明の効果】
本発明に係る通信システムは、上述した構成を備えているため、以下に説明する効果を奏することができる。
【００６５】
すなわち、本発明に係る通信システムによれば、ＨＴＴＰクライアント端末の使用可能メディア、表示画面の解像度、表示画面のサイズ、ＣＰＵ能力、暗号化レベル、圧縮レベル等の端末能力に適したコンテンツ表示を行うために、これらの情報を通知するための特別な手段を必要としない。
したがって、ＨＴＴＰクライアント端末の資源（メモリ、ＣＰＵなど）の節約になるばかりでなく、特別な手段を使ったＨＴＴＰクライアント端末とＨＴＴＰサーバあるいはゲートウェイ装置との通知シーケンスが不要となり、通知シーケンスにおけるエラー発生の可能性がなくなる。
このため、特に、無線ネットワークなどのようにエラー発生率の高い回線を使用して接続する場合に、安定した通信を行うことが可能となる。
【００６６】
また、サーバあるいはゲートウェイ装置上で、コンテンツの加工や最適なコンテンツの選択を行うために、クライアント端末で出力できない無駄なデータの送信がなくなり、回線を効率的に利用すること可能となる。
【図面の簡単な説明】
【図１】本発明の第１の実施形態に係る通信システムの概略構成を示す説明図である。
【図２】本発明の通信システムにおける第１の手段によるコンテンツ配信シーケンスの説明図である。
【図３】本発明の第１の実施形態に係る通信システムにおけるクライアント端末のプロトコルスタックの説明図である。
【図４】本発明の通信システムで使用するＨ．３２３ゲートキーパの概略構成図である。
【図５】本発明の通信システムにおける第１の手段を使用する際のゲートキーパおよびＭＣＵの動作フローチャートである。
【図６】本発明の通信システムで使用するＨＴＴＰサーバの概略構成図である。
【図７】本発明の通信システムにおけるＨＴＴＰサーバの動作フローチャートである。
【図８】本発明の通信システムで使用するゲートウェイの概略構成図である。
【図９】本発明の通信システムにおけるゲートウェイの動作フローチャートである。
【図１０】本発明の通信システムにおけるの第２の手段によるコンテンツ配信シーケンスの説明図である。
【図１１】本発明の通信システムにおける第２の手段を使用する際のゲートキーパの動作フローチャートである。
【図１２】本発明の通信システムにおける第２の手段の拡張を使用する際のゲートキーパの動作フローチャートである。
【図１３】本発明の通信システムにおける第２の手段の拡張による、ＲＲＱメッセージのＮｏｎ  Ｓｔａｎｄａｒｄ  Ｐａｒａｍｅｔｅｒフィールドへの記述例を示す説明図である。
【図１４】本発明の第２の実施形態に係る通信システムの概略構成を示す説明図である。
【図１５】本発明の第２の実施形態に係る通信システムにおけるクライアント端末のプロトコルスタックの説明図である。
【図１６】本発明の第２の実施形態に係る通信システムによるコンテンツ配信シーケンスの説明図である。
【図１７】本発明の通信システムで使用するＨ．３２４準拠ＭＣＵの概略構成図である。
【図１８】従来のＷｅｂシステムの概略構成を示す説明図である。
【図１９】従来のＷｅｂシステムにおけるコンテンツ配信シーケンスの説明図である。
【図２０】従来のＨ．３２３システムの概略構成を示す説明図である。
【図２１】従来のＨ．３２３オーディオビジュアル通信開始シーケンスの説明図である。
【符号の説明】
１０１  ＨＴＴＰサーバ
１０２、１０３  ＨＴＴＰクライアント端末
１０４  インターネット回線
１０５  公衆回線
１０６  ゲートウェイ
２０１  ゲートキーパ
２０２、２０３  Ｈ．３２３エンドポイント端末
２０４  インターネット回線
２０５  公衆回線
２０６  ゲートウェイ
５０１  ＨＴＴＰサーバ
５０２、５０３  クライアント端末
５０４  インターネット回線
５０５  公衆回線
５０６  ゲートウェイ
５０７  ゲートキーパ
８０１  Ｈ．３２３制御部
８０２  クライアント端末情報記録部
８０３  端末情報通知処理部
９０１  ＨＴＴＰ処理部
９０２  コンテンツ記録部
９０３  端末情報通知処理部
９０４  コンテンツ加工変換部
１００１  ネットワーク接続処理部
１００２  コンテンツ加工変換部
１００３  端末情報通知処理部
１１０１  情報の長さフィールド
１１０２  情報フィールド
１７０１  ＨＴＴＰサーバ
１７０２、１７０３  クライアント端末
１７０４  インターネット回線
１７０５  公衆回線
１７０６  ゲートウェイ
１７０７  ＭＣＵ
１９０１  Ｈ．３２４制御部
１９０２  クライアント端末情報記録部
１９０３  端末情報通知処理部
【図１】
0003633848.tif 000002
【図２】
0003633848.tif 000003
【図３】
0003633848.tif 000004
【図４】
0003633848.tif 000005
【図５】
0003633848.tif 000006
【図６】
0003633848.tif 000007
【図７】
0003633848.tif 000008
【図８】
0003633848.tif 000009
【図９】
0003633848.tif 000010
【図１０】
0003633848.tif 000011
【図１１】
0003633848.tif 000012
【図１２】
0003633848.tif 000013
【図１３】
0003633848.tif 000014
【図１４】
0003633848.tif 000015
【図１５】
0003633848.tif 000016
【図１６】
0003633848.tif 000017
【図１７】
0003633848.tif 000018
【図１８】
0003633848.tif 000019
【図１９】
0003633848.tif 000020
【図２０】
0003633848.tif 000021
【図２１】
0003633848.tif 000022